(57)【要約】      （修正有）【課題】傘が閉じられる場合、ボタンが隠され、間違いで傘が開くのを防止することができるストレート傘を提供する。【解決手段】ストレート傘１は、中棒５、中棒５に付く弾力傘開き構造２があり、弾力傘開き構造２は中巣１２、下巣１３、下ろくろを含み、下ろくろは中巣１２と繋がるアップパイプ２１とアンダーパイプ２２を有し、中棒５の底部に近い部分にアンダーパイプ２２があり、アンダーパイプ２２に上はじき３を埋め込むためのスロット２２５があり、スロット２２５はアンダーパイプ２２を貫き、スロット２２５にボタン２２６がついている。【選択図】図１
0003206417.tif 000002
【実用新案登録請求の範囲】
【請求項１】
中棒と、中棒に付く弾力傘開き構造と、を備え、
該弾力傘開き構造は中巣と、下巣と、下ろくろを含み、
前記下ろくろは、前記中巣と繋がるアップパイプとアンダーパイプを有し、
前記中棒の底部に近い部分に前記アンダーパイプがあり、
前記アンダーパイプに下はじきを埋め込むためのスロットがあり、そのスロットはアンダーパイプを貫き、スロットにボタンがついているストレート傘。
【請求項２】
前記ボタンが凹み、アーチ形になり、前記ボタンの全体が前記スロットの中に入っている請求項１のストレート傘。
【請求項３】
前記アンダーパイプの底部に前記スロットへ伸びるアーチ形の過渡溝がある請求項２のストレート傘。
【請求項４】
前記中棒の上部分に上巣があり、該上巣の下に位置限定用パイプがあり、該位置限定用パイプに弾力性のある空き口があり、その弾力性空き口は軸に沿って交差して設置されている請求項３のストレート傘。
【考案の詳細な説明】
【技術分野】
【０００１】
本考案は傘分野に属する。具体的に言うと、ストレート傘に及ぶ。
【背景技術】
【０００２】
ストレート傘は通常、生地、親骨、中棒、ハンドルで構成されている、ストレート傘にとって、中棒に親骨と繋がる弾力性傘開き構造がある。ハンドルや中棒にスイッチを設置して、スイッチで傘を自動的に開かせる。現存のスイッチはハンドルや中棒に突出した下はじきとボタンを設置し、下はじきと弾力性のある構造で傘を閉じる。傘が閉じられる状態で、ボタンがハンドルやハンドルに近い中棒の部分に設置されているため、利用者はハンドルを持つ場合、間違いでボタンを押し、傘を開いてしまうことがよくあり、不便を招いている。
【考案の概要】
【考案が解決しようとする課題】
【０００３】
現存の技術の不足に対して、本考案は一種の傘が閉じられる状態に、ボタンは生地に覆われ、間違いでボタンが押されることを避けることを目的とする。
【課題を解決するための手段】
【０００４】
前述の目的を実現するために、本考案は以下のソリューションを提供する。つまり一種のストレート傘、中棒、中棒に付く弾力傘開き構造があり、弾力傘開き構造は中巣、下巣、下ろくろを含む。下ろくろは中巣と繋がるアップパイプとアンダーパイプがあり、中棒の底部に近い部分に下はじきがある。アンダーパイプに下はじきを埋め込むためのスロットがある。そのスロットはアンダーパイプを貫き、スロットにボタンがついている。
【０００５】
さらに、ボタンが凹み、アーチ形になり、ボタン全体はスロットの中に入っている。
【０００６】
さらに、アンダーパイプの底部にスロットへ伸びるアーチ形の過渡溝がある。
【０００７】
さらに、中棒の上部分に上巣があり、上巣の下に位置限定用パイプがあり、位置限定用パイプに弾力性のある空き口があり、その弾力性空き口は軸に沿って交差で設置されている。
【考案の効果】
【０００８】
現存の技術と比べ、本考案のメリットはボタンをアンダーパイプに設置することにより、傘が閉じられる時に、アンダーパイプが完全に生地に覆われ、間違いでボタンが押されることを避けることができる。ボタン全体はスロットの中に入って、生地や親骨によるボタンへの圧力を避けることができる。開く時に、指を中に入れてボタンを押せば開くことができる。傘を開いたら、弾力性傘開き構造は中棒にそって上巣に当たり、上巣の下に位置限定パイプを設け、位置限定パイプに弾力性のある空き口を設けるので、位置限定パイプが当たる時に、クッション作用を果たし、衝撃力を緩めることができる。
【図面の簡単な説明】
【０００９】
【図１】本考案のストレート傘の構造図である。
【考案を実施するための形態】
【００１０】
図面1を参照して、本考案の一実施形態のストレート傘１の実施例について詳しく説明する。
【００１１】
図面1に示すように、一種のストレート傘１は、中棒5と、中棒5に付く弾力性傘開き構造２とがある。弾力傘開き構造２は、中巣12、下巣13、下ろくろを含む。下ろくろは、ケージング・パイプであり、中巣12と繋がるアップパイプ21と、下巣13と繋がるアンダーパイプ22と、を有する。弾力性傘開き構造２は、アップパイプ21とアンダーパイプ22内にある、スプリングである上はじき3を含む。中棒5の底部に近い部分に下はじき52がある。アンダーパイプ22に下はじき52を埋め込むためのスロット225がある。そのスロット225はアンダーパイプ22を貫き、スロット225にボタン226がついている。
【００１２】
ストレート傘１を使用するときに、アンダーパイプ22を持ち、中棒5に沿って下へ滑走させる。アップパイプ21と中巣12はアンダーパイプ22へ移動し、同時に、上はじき3に圧縮をかけ、アンダーパイプ22は下はじき52に圧力をかけ、下はじき52をスロット225に入らせる。そのときに、閉傘が終わる。そのときに、親骨は生地を閉じ、弾力性傘開き構造２を覆う。ストレート傘１を開くときに、手を中に入れ、アンダーパイプ22にかけ、ボタン226を押すと、下はじき52がスロット225から離れ、上はじき3の弾性力で傘を自動的に開かせることができる。
【００１３】
本実施例の最良案で述べられたボタン226は中へ凹み、アーチ形になり、ボタン226はアンダーパイプ22の表面より突出していない。即ち、ボタン226の表面はアンダーパイプ22の表面より突出していないので、生地や親骨でボタン226が押されるのを避けることができる。
【００１４】
本実施例の最良案で述べられたアンダーパイプ22の底部にスロット225へ伸びるアーチ形の過渡溝227があり、過渡溝227で傘が閉じられる時に、下はじき52がスロット225に入りやすくなり、力を省くことができる。
【００１５】
本実施例の最良案で述べられた中棒5の上部分に上巣11がある。中棒5に対応する上巣11の下に、止めびょうパイプである位置限定用パイプ6があり、この位置限定用パイプ6に若干の弾力性空き口61がある。弾力性空き口61は軸に沿って交差して設置される。ストレート傘１を開くとき、弾力性傘開き構造２は中棒5に沿って上へ滑走し、上巣11にあたる。弾力性傘開き構造２が上へ滑走する過程において、一番、最初に位置限定用パイプ6と当たり、位置限定用パイプ6に設置される弾力性空き口61で位置限定用パイプ6が一定の弾力性を備える。そのため、弾力性傘開き構造２に一定のクッション作用を果たさせることができる。
【００１６】
以上の内容は、本考案の最良実施方法であるが、本考案の保護範囲は前述実施例に限らない。本考案のコンセプトによるソリューションは本考案の保護範囲に属する。指摘すべき所は、本技術分野の普通の技術者にとって、本考案の原理から逸脱しない前提で改善や手直しをすることも本考案の保護範囲に属することである。
【符号の説明】
【００１７】
１…ストレート傘
２…弾力性傘開き構造
３…上はじき
５…中棒
６…位置限定用パイプ
１１…上巣
１２…中巣
１３…下巣
２１…アップパイプ
２２…アンダーパイプ
５２…下はじき
６１…弾力性空き口
２２５…スロット
２２６…ボタン
２２７…過渡溝
【図１】
0003206417.tif 000003